(57)【要約】【課題】医療機関が、薬局が有する患者に関する情報を得るための基盤を提供する。【解決手段】紙葉類発行システムは、患者の氏名、前記患者に渡される薬品の名称、および、前記薬品に対応付けられるシンボルマークに関する情報であるシンボルマーク情報が入力される入力部と、所定の記憶部から前記薬品の名称に基づいて前記薬品の外観画像を読み出し、前記薬品と共に前記患者に渡される紙葉類に、前記薬品の外観画像、および、前記シンボルマークを印刷するように、所定のプリンタを制御する制御部と、を備える。【選択図】図５
2020204895.tif 000002
【特許請求の範囲】
【請求項１】
患者の氏名、前記患者に渡される薬品の名称、および、前記薬品に対応付けられるシンボルマークに関する情報であるシンボルマーク情報が入力される入力部と、
所定の記憶部から前記薬品の名称に基づいて前記薬品の外観画像を読み出し、前記薬品と共に前記患者に渡される紙葉類に、前記薬品の外観画像、および、前記シンボルマークを印刷するように、所定のプリンタを制御する制御部と、
を備える、紙葉類発行システム。
【請求項２】
前記制御部は、前記患者の氏名、前記薬品の名称、および、前記シンボルマーク情報を互いに関連づけて、前記記憶部に記憶させる、
請求項１に記載の紙葉類発行システム。
【請求項３】
前記入力部から入力された前記患者の氏名、および、前記薬品の名称が、既に、前記記憶部に記憶されている場合、
前記制御部は、前記記憶部から、前記患者の氏名、および、前記薬品の名称と関連づけて記憶されている前記シンボルマーク情報を読み出し、読み出された前記シンボルマークを印刷するように、前記プリンタを制御する、
請求項２に記載の紙葉類発行システム。
【請求項４】
前記入力部から入力された前記患者の氏名、および、前記シンボルマーク情報が、既に、前記記憶部に記憶されている場合、
前記制御部は、前記記憶部から、前記患者の氏名、および、前記シンボルマーク情報と関連づけて記憶されている前記薬品の名称を読み出し、読み出された前記薬品の名称を所定の表示部に表示させる、
請求項２又は３に記載の紙葉類発行システム。
【請求項５】
前記入力部は、前記患者に渡される他の薬品の名称、および、前記他の薬品の名称に対応付けられる他のシンボルマークに関する情報である他のシンボルマーク情報の入力を受け付け、
前記制御部は、前記記憶部から前記他の薬品の名称に基づいて前記他の薬品の外観画像を読み出し、前記紙葉類又は前記他の薬品と共に前記患者に渡される他の紙葉類に、前記他の薬品の外観画像、および、前記他のシンボルマークを印刷するように、前記プリンタを制御し、
前記他のシンボルマークは、前記シンボルマークが表す事物が属するカテゴリに属する事物を表す、
請求項１から４のいずれかに記載の紙葉類発行システム。
【請求項６】
前記シンボルマーク情報は、前記制御部に対する前記シンボルマークの選択の指令であり、
前記制御部は、前記指令に従って、前記シンボルマークを選択する、
請求項１から５のいずれかに記載の紙葉類発行システム。
【請求項７】
前記入力部は、前記患者と住所が同じである第２の患者の氏名、前記第２の患者に渡される第２の薬品の名称、および、前記第２の薬品に対応付けられる第２のシンボルマークに関する情報である第２のシンボルマーク情報の入力を受け付け、
前記制御部は、前記記憶部から前記第２の薬品の名称に基づいて前記第２の薬品の外観画像を読み出し、前記第２の薬品と共に前記第２の患者に渡される第２の紙葉類に、前記第２の薬品の外観画像、および、前記第２のシンボルマークを印刷するように、前記プリンタを制御し、
前記第２のシンボルマークは、前記シンボルマークが表す事物が属するカテゴリとは異なるカテゴリに属する事物を表す、
請求項１から６のいずれかに記載の紙葉類発行システム。
【請求項８】
前記紙葉類は、薬袋である、
請求項１から７のいずれかに記載の紙葉類発行システム。
【請求項９】
前記紙葉類は、服用支援シートである、
請求項１から７のいずれかに記載の紙葉類発行システム。
【請求項１０】
入力部を介して、患者の氏名の入力を受け付ける工程と、
前記入力部を介して、前記患者に渡される薬品の名称の入力を受け付ける工程と、
前記入力部を介して、前記薬品に対応付けられるシンボルマークに関する情報であるシンボルマーク情報の入力を受け付ける工程と、
所定の記憶部から、前記薬品の名称に基づいて前記薬品の外観画像を読み出す工程と、
前記薬品と共に前記患者に渡される紙葉類に、前記薬品の外観画像、および、前記シンボルマークを印刷するように、所定のプリンタを制御する工程と、
を含む、紙葉類発行方法。
【発明の詳細な説明】
【技術分野】
【０００１】
本発明は、紙葉類発行システムおよび紙葉類発行方法に関する。
【背景技術】
【０００２】
医療機関で発行された処方せんに基づいて薬局で調剤された薬品は、薬袋に収納された状態で患者に渡されている。患者は、薬袋から薬品を取り出し、予め定められた所定のタイミングで服用または使用（以下、使用も含めて服用と記載）する。従来の通常の薬袋は、薬品を収納する機能を有するに過ぎない。
【０００３】
一方、特許文献１には、メモ付き内服薬袋が開示されている。特許文献１に開示されている内服薬袋には、服用状況を記録することができる。よって、薬品の服用状況を事後的に確認することができる。
【先行技術文献】
【特許文献】
【０００４】
【特許文献１】実用新案登録第３２１３０４５号公報
【発明の概要】
【発明が解決しようとする課題】
【０００５】
しかしながら、このような内服薬袋を用いても、服用するべき薬品を服用するべきタイミングで服用すること、つまり、飲み忘れの防止等を支援することはできない。
【０００６】
本発明は、服用するべき薬品を服用するべきタイミングで服用することを支援する紙葉類を発行する紙葉類発行システムおよび紙葉類発行方法を提供することを課題とする。
【課題を解決するための手段】
【０００７】
本発明に係る紙葉類発行システムは、患者の氏名、前記患者に渡される薬品の名称、および、前記薬品に対応付けられるシンボルマークに関する情報であるシンボルマーク情報が入力される入力部と、所定の記憶部から前記薬品の名称に基づいて前記薬品の外観画像を読み出し、前記薬品と共に前記患者に渡される紙葉類に、前記薬品の外観画像、および、前記シンボルマークを印刷するように、所定のプリンタを制御する制御部と、を備える。
【０００８】
また、本発明に係る紙葉類発行方法は、入力部を介して、患者の氏名の入力を受け付ける工程と、前記入力部を介して、前記患者に渡される薬品の名称の入力を受け付ける工程と、前記入力部を介して、前記薬品に対応付けられるシンボルマークに関する情報であるシンボルマーク情報の入力を受け付ける工程と、所定の記憶部から、前記薬品の名称に基づいて前記薬品の外観画像を読み出す工程と、前記薬品と共に前記患者に渡される紙葉類に、前記薬品の外観画像、および、前記シンボルマークを印刷するように、所定のプリンタを制御する工程と、を含む。
【発明の効果】
【０００９】
本発明によれば、服用するべき薬品を服用するべきタイミングで服用することを支援する紙葉類を発行する紙葉類発行システムおよび紙葉類発行方法を提供することができる。
【図面の簡単な説明】
【００１０】
【図１】紙葉類発行システムの構成の一例を示す図。
【図２】薬局端末の構成の一例を示す図。
【図３】薬袋を発行する際の紙葉類発行システムの動作フローの一例。
【図４】携帯型情報処理装置の画面の一例。
【図５】薬袋の一例を示す図。
【図６】薬袋の他の例を示す図。
【図７】薬袋の更に他の例を示す図。
【図８】服用支援シートの一例を示す図。
【図９】服用支援シートの使用態様を示す図。
【図１０】服用支援シートの他の例を示す図。
【発明を実施するための形態】
【００１１】
以下、本発明の実施の形態について、図面を参照して詳細に説明する。なお、以下に説明する実施の形態は一例であり、本発明はこの実施の形態により限定されるものではない。なお、本明細書中には、具体的な薬品名が所定の服用指示と共に記載されているが、それらの記載は、あくまでも技術的な内容の理解を促すためのものに過ぎず、実際の服用方法を教唆するものではない。
【００１２】
＜紙葉類発行システムの構成＞
まず、本発明の実施の形態に係る紙葉類発行システム１の構成、及び、紙葉類発行システム１の構成要素の大まかな役割について、図１を用いて説明する。図１は、本実施の形態に係る紙葉類発行システム１の構成の一例を示す図である。
【００１３】
紙葉類発行システム１は、薬局端末１０、バーコードリーダ１１Ａ、携帯型情報処理装置１１Ｂ、及び、プリンタ３０を有する。
【００１４】
薬局端末１０は、薬局に設置され、薬剤師等の医療従事者によって使用されるコンピュータ（例えば、パーソナルコンピュータ、スマートフォン、タブレット等）である。
【００１５】
バーコードリーダ１１Ａは、薬局端末１０に接続された装置である。バーコードリーダ１１Ａは、処方せんに付されたバーコードをスキャンし、バーコード内に含まれている患者氏名、薬品名等の情報を読み取る。バーコードリーダ１１Ａは、入力部の１つである。
【００１６】
携帯型情報処理装置１１Ｂは、薬局内で、医療従事者または患者によって操作されるコンピュータ（例えば、タブレット、スマートフォン、パーソナルコンピュータ等）である。携帯型情報処理装置１１Ｂは、例えば、患者によるシンボルマークの選択操作、を受け付け、選択されたシンボルマークに関する情報を薬局端末１０に出力する。携帯型情報処理装置１１Ｂは、入力部の１つである。
【００１７】
患者によるシンボルマークの選択は、具体的な特定のシンボルマークの選択でも良いし、複数のシンボルマークを含むマーク群の選択でも良い。マーク群が選択された場合は、携帯型情報処理装置１１Ｂまたは薬局端末１０が、選択されたマーク群に含まれるシンボルマークの中から、薬品の種類数に一致する数のシンボルマークを選択することができる。
【００１８】
シンボルマーク又はマーク群の選択が、患者から携帯型情報処理装置１１Ｂまたは薬局端末１０に完全に一任されるように、紙葉類発行システムが構成されても良い。この場合、携帯型情報処理装置１１Ｂの操作を介して、シンボルマークの選択の指令が入力され、この指令に従って、携帯型情報処理装置１１Ｂまたは薬局端末１０（具体的には制御部１５）が、シンボルマーク又はマーク群の選択を自動的に行う。
【００１９】
プリンタ３０は、薬局に設置されたプリンタである。プリンタ３０は、薬局端末１０によって制御される。プリンタ３０は、薬袋または服用支援シート等の紙葉類の上に、薬品の外観画像と、患者によって選択された、または、自動的に設定されたシンボルマークとを印刷する。
【００２０】
薬局端末１０と携帯型情報処理装置１１Ｂは、所定のネットワークを介して、または直接、通信を行う。薬局端末１０とプリンタ３０は、所定のネットワークを介して、または直接、通信を行う。所定のネットワークは、有線ネットワーク、無線ネットワーク、または、有線ネットワークと無線ネットワークとが混在したネットワークのいずれであってもよい。
【００２１】
＜薬局端末の構成＞
次に、本発明の実施の形態に係る薬局端末１０の構成について、図２を用いて説明する。図２は、本実施の形態に係る薬局端末１０の構成の一例を示す図である。
【００２２】
薬局端末１０は、操作部１１Ｃ、通信部１２、表示部１３、記憶部１４、制御部１５を有する。
【００２３】
操作部１１Ｃは、医療従事者の操作を受け付け、受け付けた操作の内容を制御部１５に出力する。操作部１１Ｃは、タッチパネル、キーボード、マウスなどの入力装置である。操作部１１Ｃは、医療従事者の操作を受け付け、受け付けた操作の内容を制御部１５に出力する。操作部１１Ｃは、例えば、患者の氏名、患者に渡される薬品の名称、および、薬品に対応付けられるシンボルマークに関する情報の入力操作を受け付ける。操作部１１Ｃは、入力部の一つである。
【００２４】
通信部１２は、送信回路、受信回路などを含む通信装置である。通信部１２は、制御部１５の制御により、携帯型情報処理装置１１Ｂ、及び、プリンタ３０と所定のネットワークを介して通信を行う。また、通信部１２は、図示されていない外部のサーバ等と、所定のネットワークを介して、通信を行うこともできる。
【００２５】
表示部１３は、ディスプレイなどの表示装置である。表示部１３は、制御部１５の制御により、情報の表示を行う。
【００２６】
表示部１３は、例えば、患者の氏名、患者に渡される薬品の名称、薬品の外観画像、及び、薬品に対応付けられるシンボルマークを表示する。
【００２７】
記憶部１４は、メモリまたはハードディスク装置などの記憶デバイスであり、種々の情報を記憶する。
【００２８】
記憶部１４は、例えば、患者の氏名、患者に渡される薬品の名称、薬品に対応付けられるシンボルマーク、薬品の外観画像を、相互に対応付けて記憶する。なお、これらの情報の一部または全部が、薬局端末１０の外部にある記憶装置、例えば、薬局端末１０と所定のネットワークを介して接続されているサーバに記憶されていても良い。
【００２９】
制御部１５は、プロセッサなどの制御デバイスであり、薬局１０が行う各処理を制御する。制御部１５による制御の一例については、図３を用いて後述する。
【００３０】
プリンタ３０は、薬袋または服用支援シート等の紙葉類に、所定事項を印刷する装置である。所定事項としては、例えば、患者の氏名、患者に渡される薬品の名称、薬品の外観画像、薬品に対応付けられるシンボルマーク、薬品を服用するタイミング、薬品結果を記録するチェック欄が挙げられる。
【００３１】
なお、本実施形態では、薬局端末１０とプリンタ３０は互いに別の装置であるが、１つの装置が薬局端末１０とプリンタ３０の機能を有していてもよいことは言うまでも無い。
【００３２】
また、本明細書において、薬袋とは、薬品を収納する袋そのもの、薬品を収納する透明な袋の中に収納されるシート、および、薬品を収納する袋の表面に貼り付けられるシール等である。また、本明細書において、服用支援シートとは、いつ、どの薬品を服用する必要があるのかという情報、及び、薬品の服用結果を記録するためのチェック欄が印刷されているシートである。また、本明細書において、紙葉類とは、紙又は樹脂等で形成されている袋またはシート等である。
【００３３】
＜紙葉類発行システムの動作＞
次に、紙葉類発行システム１の動作フローの一例を示す図３を参照しながら、本発明の実施の形態に係る紙葉類発行システムの動作について、説明する。以下、紙葉類が薬袋である場合について説明する。
【００３４】
まず、処方せんに記載されている患者の氏名が入力される（ステップＳ１）。患者の氏名の入力は、処方せんに付されているバーコードをバーコードリーダ１１Ａでスキャンすることによって行うことができる。なお、操作部１１Ｃの操作を介して入力されても良い。
【００３５】
次に、処方せんに記載されている薬品の名称が入力される（ステップＳ２）。薬品の名称の入力は、処方せんに付されているバーコードをバーコードリーダ１１Ａでスキャンすることによって行うことができる。なお、操作部１１Ｃの操作を介して入力されても良い。バーコードのスキャンが行われる場合、患者の氏名の入力と薬品の名称の入力は同時に行われる。
【００３６】
次に、シンボルマーク情報が入力される（ステップＳ３）。シンボルマーク情報の入力は、携帯型情報処理装置１１Ｂの操作によって行うことができる。
【００３７】
このときの携帯型情報処理装置１１Ｂの画面の一例を図４に示す。携帯型情報処理装置１１Ｂの画面には、上から順に、第１カテゴリ表示欄１１０、第２カテゴリ表示欄１２０、第３カテゴリ表示欄１３０、及び、第４カテゴリ表示欄１４０が表示されている。
【００３８】
第１カテゴリ表示欄１１０には、花というカテゴリに属する事物（すなわち、花）を表す３つのシンボルマーク候補が表示されている。具体的には、ハイビスカスを表すシンボルマーク候補１１１、桜を表すシンボルマーク候補１１２、及び、ひまわりを表すシンボルマーク候補１１３が表示されている。
【００３９】
第２カテゴリ表示欄１２０には、果物というカテゴリに属する事物（すなわち、果物）を表す３つのシンボルマーク候補が表示されている。具体的には、いちごを表すシンボルマーク候補１２１、りんごを表すシンボルマーク候補１２２、及び、メロンを表すシンボルマーク候補１２３が表示されている。
【００４０】
第３カテゴリ表示欄１３０には、楽器というカテゴリに属する事物（すなわち、楽器）を表す３つのシンボルマーク候補が表示されている。具体的には、トランペットを表すシンボルマーク候補１３１、竪琴を表すシンボルマーク候補１３２、及び、ギターを表すシンボルマーク候補１３３が表示されている。
【００４１】
第４カテゴリ表示欄１４０には、数字というカテゴリに属する事物（すなわち、数字）を表す３つのシンボルマーク候補が表示されている。具体的には、１という数字を表すシンボルマーク候補１４１、２という数字を表すシンボルマーク候補１４２、及び、３という数字を表すシンボルマーク候補１４３が表示されている。
【００４２】
このような表示がなされている携帯型情報処理装置１１Ｂにおいて、あるシンボルマーク候補がタップされると、シンボルマークとして、この候補が選択される。すると、選択されたシンボルマークに関する情報が、シンボルマーク情報として、薬局端末１０に入力される。例えば、シンボルマーク候補１１１がタップされることにより、シンボルマークとして、ハイビスカスを表すシンボルマークが選択される。すると、選択されたシンボルマークはハイビスカスを表すシンボルマークであるというシンボルマーク情報が、薬局端末１０に入力される。
【００４３】
シンボルマーク情報の入力は、操作部１１Ｃの操作を介して行われても良い。
【００４４】
なお、複数の薬品の名称が入力された場合には、薬品の数に一致する数のシンボルマークが選択され、各シンボルマークに関するシンボルマーク情報が、薬局端末１０に入力される。複数のシンボルマークは、患者によって、カテゴリの制約なく自由に選択されても良いし、１つのカテゴリの中から選択されても良い。また、患者によってカテゴリのみが選択され、各薬品に対応付けられる具体的なシンボルマークは、選択されたカテゴリに属するシンボルマーク候補の中から、薬局端末１０または携帯型情報処理装置１１Ｂによって自動的に選択されても良い。
【００４５】
再び図３を参照する。続いて、薬局端末１０の制御部１５は、患者の氏名、薬品の名称、及び、シンボルマーク情報を関連づけて、記憶部１４に記憶させる（ステップＳ４）。
【００４６】
続いて、制御部１５は、薬品の名称を検索キーとして、記憶部１４に予め薬品の名称と対応付けて記憶されている薬品の外観画像に関するデータを検索し、読み出す（ステップＳ５）。
【００４７】
次に、制御部１５は、紙葉類に、薬品の外観画像及びシンボルマークを印刷するように、プリンタ３０を制御する（ステップＳ６）。このとき、紙葉類の種類に応じて、患者の氏名及び薬品の名称を印刷しても良い。また、このとき、紙葉類の種類に応じて、どの薬品をどのタイミングで服用する必要があるのかという情報、及び、薬品の服用結果を記録するためのチェック欄を印刷しても良い。
【００４８】
＜薬袋＞
次に、以上のように動作する紙葉類発行システム１によって発行される紙葉類について説明する。まず、図５を参照しながら、紙葉類の一例である薬袋について説明する。
【００４９】
図５は、処方せんに基づいて調剤された薬品が収納され、薬品と共に患者に渡される袋である薬袋４０の正面図である。薬袋４０は、「佐藤  令一」という患者に「ロキソプロフェンナトリウム錠」という薬品を渡す場合に発行される薬袋である。
【００５０】
薬袋４０には、患者の氏名４１、患者に渡される薬品の名称４２、患者に渡される薬品の外観画像４３、及び、患者に渡される薬品に対応付けられるシンボルマーク４４が印刷されている。また、薬袋４０には、薬品の服用指示内容４５が印刷されている。
【００５１】
具体的には、薬袋４０には、患者の氏名４１として、「佐藤  令一」が印刷されている。薬品の名称４２として、「ロキソプロフェンナトリウム錠」が印刷されている。薬品の外観画像４３として、「ロキソプロフェンナトリウム錠」の外観画像が印刷されている。シンボルマーク４４として、花の一つであるハイビスカスを表すシンボルマークが印刷されている。薬品の服用指示内容４５として、「４日」間にわたって、「１日３回」、「毎食後」、「１回に１錠」服用する必要があることが印刷されている。
【００５２】
以上のように、薬袋４０には、薬品の外観画像４３とともに、シンボルマーク４４が印刷されている。よって、患者は、薬品と共に、シンボルマーク４４が表す事物をイメージすることができる。つまり、患者は、覚えにくい薬品の名称や、特徴の少ない薬品の外観ではなく、覚えやすく特徴のある事物をイメージすることによって、薬品をイメージすることができる。例えば、患者は、「ロキソプロフェンナトリウム錠」を「ハイビスカス」に置き換えてイメージすることができる。
【００５３】
よって、患者は、例えば、毎食後１錠ずつ服用する必要がある薬品は、「ハイビスカスの薬」であるとイメージすることができる。したがって、どの薬品を服用すべきかわからなくなってしまうこと、及び、服用すべきではない薬品を誤って服用すること等を、確実に防止することができる。その結果、服用すべき薬品を服用すべきタイミングで確実に服用することができ、ひいては、治療効果を高めることができる。
【００５４】
なお、シンボルマーク４４は、対応付けられる薬品の外観画像４３に隣接するように印刷されることが好ましい。それよって、患者は、薬品とシンボルマーク４４とを対応付けてイメージすることをより確実に行うことができるようになる。
【００５５】
次に、図５に示される薬袋が渡される患者と同じ患者に渡される他の薬袋について説明する。図６は、処方せんに基づいて調剤された他の薬品が収納され、他の薬品と共に患者に渡される袋である他の薬袋５０の正面図である。他の薬袋５０は、薬袋４０が渡される患者と同一人物である「佐藤  令一」という患者に「トラネキサム酸錠」という薬品を渡す場合に発行される薬袋である。
【００５６】
他の薬袋５０には、患者の氏名５１、患者に渡される他の薬品の名称５２、患者に渡される他の薬品の外観画像５３、及び、患者に渡される他の薬品に対応付けられる他のシンボルマーク５４が印刷されている。また、他の薬袋５０には、他の薬品の服用指示内容５５が印刷されている。
【００５７】
具体的には、他の薬袋５０には、患者の氏名５１として、「佐藤  令一」が印刷されている。他の薬品の名称５２として、「トラネキサム酸錠」が印刷されている。他の薬品の外観画像５３として、「トラネキサム酸錠」の外観画像が印刷されている。他のシンボルマーク５４として、花の一つである桜を表すシンボルマークが印刷されている。他の薬品の服用指示内容５５として、「４日」間にわたって、「１日３回」、「毎食後」、「１回に２錠」服用する必要があることが印刷されている。
【００５８】
以上のように、他の薬袋５０には、他の薬品の外観画像５３とともに、他のシンボルマーク５４が印刷されている。他のシンボルマーク５４が示す事物は「桜」であり、花というカテゴリに属するものである。また、薬袋４０に印刷されているシンボルマーク４４が示す事物は、「ハイビスカス」であり花というカテゴリに属するものである。
【００５９】
つまり、他のシンボルマーク５４が示す事物が属するカテゴリ（花）は、シンボルマーク４４が示す事物が属するカテゴリ（花）に等しい。
【００６０】
よって、患者は、覚えにくい薬品の名称や、特徴の少ない薬品の外観ではなく、覚えやすく特徴のある事物及びその事物が属するカテゴリをイメージすることによって、どの薬品が自分に渡された薬品であるのかということを認識しやすくなる。
【００６１】
例えば、患者は、他の薬品と共に、他のシンボルマーク５４が表す事物をイメージすることができる。つまり、患者は、覚えにくい他の薬品の名称や、特徴の少ない他の薬品の外観ではなく、覚えやすく特徴のある事物をイメージすることによって、他の薬品をイメージすることができる。例えば、患者は、「トラネキサム酸錠」を「桜」に置き換えてイメージすることができる。
【００６２】
よって、患者は、例えば、毎食後２錠ずつ服用する必要がある薬品は、「桜の薬」であるとイメージすることができる。したがって、どの薬品を服用すべきかわからなくなってしまうこと、及び、服用すべきではない薬品を誤って服用すること等を、確実に防止することができる。その結果、服用すべき薬品を服用すべきタイミングで確実に服用することができ、ひいては、治療効果を高めることができる。
【００６３】
しかも、本実施形態によれば、同一の患者に複数種類の薬品が渡される場合に、各薬品に対応付けられるシンボルマークが、互いに異なるシンボルマークとなっている。よって、各薬品を、互いに異なる事物に置き換えてイメージすることができる。例えば、「ロキソプロフェンナトリウム錠」という薬品を「ハイビスカス」に置き換えてイメージすることができると共に、「トラネキサム酸錠」という他の薬品を「桜」に置き換えてイメージすることができる。
【００６４】
したがって、ある患者に複数種類の薬品が渡される場合であっても、確実に、それらの薬の混同を防止し、服用すべき薬品を服用すべきタイミングで服用することができるようになる。ひいては、確実に、治療効果を高めることができる。
【００６５】
なお、一人の患者に複数種類の薬品が渡される場合において、各薬品に対応付けられる各シンボルマークが表す各事物は、互いに異なるカテゴリに属しても良い。この場合も、患者は、各シンボルマークが表す各事物をイメージすることで、各薬品をイメージして、服用すべきタイミングで服用すべき薬品を服用することができる。
【００６６】
また、一人の患者に複数種類の薬品が渡される場合、１つの薬袋に複数種類の薬品が収納されても良い。この場合も、各薬品に対応する複数種類のシンボルマークが、各薬品の外観画像と共に１つの薬袋に印刷されることで、各薬品を服用すべきタイミングで服用することができる。
【００６７】
次に、図５及び図６に示される薬袋４０及び他の薬袋５０が渡される患者と住所が同じである他の患者（以下、第２の患者）に渡される薬袋について説明する。以下、第２の患者に渡される薬品及び薬袋を、それぞれ第２の薬品及び第２の薬袋と記載する。
【００６８】
図７は、処方せんに基づいて調剤された第２の薬品が収納され、第２の薬品と共に第２の患者に渡される袋である第２の薬袋６０の正面図である。第２の薬袋６０は、「佐藤  令二」という患者に「トラネキサム酸錠」という薬品を渡す場合に発行される薬袋である。
【００６９】
第２の薬袋６０には、第２の患者の氏名６１、第２の患者に渡される第２の薬品の名称６２、第２の患者に渡される第２の薬品の外観画像６３、及び、第２の患者に渡される第２の薬品に対応付けられる第２のシンボルマーク６４が印刷されている。また、第２の薬袋６０には、第２の薬品の服用指示内容６５が印刷されている。
【００７０】
具体的には、第２の薬袋６０には、第２の患者の氏名６１として、「佐藤  令二」が印刷されている。第２の薬品の名称６２として、「ロラタジン錠」が印刷されている。第２の薬品の外観画像６３として、「ロラタジン錠」の外観画像が印刷されている。第２のシンボルマーク６４として、果物の一つであるいちごを表すシンボルマークが印刷されている。第２の薬品の服用指示内容６５として、「４日」間にわたって、「１日１回」、「夕食後」、「１回に１錠」服用する必要があることが印刷されている。
【００７１】
以上のように、第２の薬袋６０には、第２の薬品の外観画像６３とともに、第２のシンボルマーク６４が印刷されている。第２のシンボルマーク６４が示す事物は「いちご」であり、果物というカテゴリに属するものである。また、薬袋４０に印刷されているシンボルマーク４４が示す事物は、「ハイビスカス」であり花というカテゴリに属するものである。さらに、他の薬袋５０に印刷されている他のシンボルマーク５４が示す事物は、「桜」であり、花というカテゴリに属するものである。
【００７２】
つまり、第２のシンボルマーク６４が示す事物が属するカテゴリ（果物）は、シンボルマーク４４及び他のシンボルマーク５４が示す事物が属するカテゴリ（花）とは異なる。
【００７３】
また、患者及び第２の患者は、覚えにくい薬品の名称や、特徴の少ない薬品の外観ではなく、覚えやすく特徴のある事物及びその事物が属するカテゴリをイメージすることによって、自分に渡された薬品と他者に渡された薬品とを識別することができる。
【００７４】
したがって、患者と第２の患者が同じ住所であるために、互いの薬品を取り違えて服用するリスクが高い状況にあったとしても、各患者が、相手に渡された薬品を誤って服用することを確実に防止することができる。
【００７５】
＜服用支援シート＞
続いて、図８を参照しながら、紙葉類発行システム１によって発行される紙葉類の一種である服用支援シートについて説明する。
【００７６】
図８は、処方せんに基づいて調剤された薬品と共に患者に渡される服用支援シート７０の正面図である。服用支援シート７０は、１日１回、毎回同じタイミングで服用する薬品を渡す場合に発行される服用支援シートの一例である。
【００７７】
服用支援シート７０には、服用日欄７１、服用時間欄７２、及び、薬品名表示欄７３Ａ、７３Ｂが印刷されている。また、服用支援シート７０には、薬品外観画像表示欄７４Ａ、７４Ｂ、シンボルマーク表示欄７５Ａ、７５Ｂ、及び、補足情報表示欄７６Ａ、７６Ｂが印刷されている。
【００７８】
服用日欄７１には、所定期間のカレンダーと、各日に対応するチェック欄が印刷されている。
【００７９】
服用時間欄７２には、服用時間が示されている。具体的には、「朝食後」の文字が印刷されている。
【００８０】
薬品名表示欄７３Ａには、服用支援シート７０とともに渡される薬品であるロキソプロフェンナトリウム錠の略称「ロキソプロフェン」が印刷されている。薬品名表示欄７３Ｂには、服用支援シート７０とともに渡される薬品であるトラネキサム酸錠の略称「トラネキサム」が印刷されている。
【００８１】
薬品名表示欄７３Ａの下方の薬品外観画像表示欄７４Ａには、ロキソプロフェンナトリウム錠の外観画像が１個と、その個数を示す数字が隣接するように印刷されている。薬品名表示欄７３Ｂの下方の薬品外観画像表示欄７４Ｂには、トラネキサム酸錠の外観画像が２個と、その個数を示す数字が隣接するように印刷されている。薬品の外観画像の数とそれに隣接する数字は、１回の服用でいくつの薬品を服用するかを示している。つまり、本例の場合、ロキソプロフェンナトリウム錠を１回に１個、トラネキサム酸錠を１回に２個服用することが示されている。
【００８２】
薬品外観画像表示欄７４Ａの下方のシンボルマーク表示欄７５Ａには、ロキソプロフェンナトリウム錠に対応付けられるシンボルマーク、例えばハイビスカスを表すシンボルマークが１個印刷されている。薬品外観画像表示欄７４Ｂの下方のシンボルマーク表示欄７５Ｂには、ロキソプロフェンナトリウム錠に対応付けられるシンボルマーク、例えば桜を表すシンボルマークが２個印刷されている。シンボルマークの数は、１回の服用でいくつの薬品を服用するかを示している。つまり、本例の場合、ロキソプロフェンナトリウム錠を１回に１個、トラネキサム酸錠を１回に２個服用することが示されている。
【００８３】
補足情報表示欄７６Ａには、薬品名表示欄７３Ａに略称が記載されている薬品を、１回に何個服用する必要があるのか、という情報が、シンボルマーク表示欄７５Ａに印刷されているシンボルマークを用いて示されている。具体的には、ハイビスカスを示すシンボルマークが印刷された薬袋に収納されている薬品を１回１個服用することが示されている。補足情報表示欄７６Ｂには、薬品名表示欄７３Ｂに略称が記載されている薬品を、１回に何個服用する必要があるのか、という情報が、シンボルマーク表示欄７５Ｂに印刷されているシンボルマークを用いて示されている。具体的には、桜を示すシンボルマークが印刷された薬袋に収納されている薬品を１回２個服用することが示されている。
【００８４】
このような服用支援シート７０の使用方法を、図９を参照しながら説明する。
【００８５】
まず、患者は、薬品を服用するタイミングが訪れたら、例えば、５月３１日の朝食を食べたら、ハイビスカスを示すシンボルマークが印刷された薬袋から、薬品Ｍを１個取り出す。患者は、取り出した薬品Ｍを、服用支援シート７０の上、具体的には、ハイビスカスを示すシンボルマークの上に置く。
【００８６】
続いて、患者は、桜を示すシンボルマークが印刷された薬袋から、薬品Ｍを２個取り出す。患者は、取り出した薬品Ｍを、服用支援シート７０の上、具体的には、桜のシンボルマークの上に置く。
【００８７】
このように、１回に服用すべき薬品Ｍ全てを、それらの薬品Ｍと対応付けられるとともに数が一致するシンボルマークの上に置くことによって、服用すべき薬品Ｍが全て揃っていることを、服用前に確認することができる。したがって、服用し忘れを防止することができる。
【００８８】
服用した後は、服用したタイミングに該当するチェック欄、例えば、服用日欄の中の５月３１日のチェック欄にチェックを入れることにより、そのタイミングで服用したことを記録することができる。
【００８９】
服用支援シートが、図８に示されるものに限られないことは勿論であり、例えば、図１０に示されるものであっても良い。
【００９０】
図１０は、処方せんに基づいて調剤された薬品と共に患者に渡される服用支援シート８０の正面図である。服用支援シート８０は、毎週月曜日の朝食後及び夕食後に服用する薬品を渡す場合に発行される服用支援シートの一例である。
【００９１】
服用支援シート８０には、服用日欄８１、服用時間欄８２、及び、薬品名表示欄８３が印刷されている。また、服用支援シート８０には、薬品外観画像表示欄８４、及び、複数のシンボルマーク表示欄８５が印刷されている。
【００９２】
服用日欄８１には、所定期間のカレンダーが印刷されている。
【００９３】
服用時間欄８２には、服用時間が示されている。具体的には、朝食後を意味する「朝」の文字と、夕食後を意味する「夕」の文字が印刷されている。また、服用時間欄８２には、各服用時間に対応するチェック欄が印刷されている。
【００９４】
薬品名表示欄８３には、服用支援シート８０とともに渡される薬品であるロキソプロフェンナトリウム錠の略称「ロキソプロフェン」が印刷されている。
【００９５】
薬品外観画像表示欄８４には、ロキソプロフェンナトリウム錠の外観画像が１個印刷されている。薬品の外観画像の数は、１回の服用でいくつの薬品を服用するかを示している。つまり、本例の場合、ロキソプロフェンナトリウム錠を１回に１個服用することが示されている。
【００９６】
各シンボルマーク表示欄８５には、ロキソプロフェンナトリウム錠に対応付けられるシンボルマーク、例えばハイビスカスを表すシンボルマークが１個ずつ印刷されている。シンボルマークの数は、１回の服用でいくつの薬品を服用するかを示している。つまり、本例の場合、ロキソプロフェンナトリウム錠を１回に１個服用することが示されている。
【００９７】
このような服用支援シート８０も、図８に示される服用支援シート７０と同様の使用方法で使用することができる。すなわち、まず、患者は、薬品を服用するタイミングが訪れたら、例えば、１２月２２日の朝食を食べたら、ハイビスカスを示すシンボルマークが印刷された薬袋から、薬品を１個取り出す。患者は、取り出した薬品を、服用支援シート７０の上、具体的には、１２月２２日の「朝」の下のハイビスカスを示すシンボルマークの上に置く。
【００９８】
このように、１回に服用すべき薬品全てを、それらの薬品と対応付けられるとともに数が一致するシンボルマークの上に置くことによって、服用すべき薬品が全て揃っていることを、服用前に確認することができる。したがって、服用し忘れを防止することができる。
【００９９】
服用した後は、服用したタイミングに該当するチェック欄、例えば、服用日欄の中の１２月２２日の「朝」のチェック欄にチェックを入れることにより、そのタイミングで服用したことを記録することができる。
【０１００】
本実施の形態に係る紙葉類発行システム１は、以下のように活用することができる。
【０１０１】
ある患者にある薬品が渡されるのが２回目以降である場合、つまり、記憶部１４に、その患者の氏名と、その薬品の名称とが、以前にその薬品に対応付けられたシンボルマークに関するシンボルマーク情報とともに、記憶されている場合について考える。この場合、患者は、その薬品とそのシンボルマークとの対応付けに既に慣れている可能性が高い。よって、この場合、制御部は、新たに入力部からシンボルマーク情報の入力を受け付けず、患者の氏名及び薬品の名称と関連づけて記憶されているシンボルマーク情報を記憶部１４から読み出し、紙葉類へのシンボルマークの印刷に用いることが好ましい。それにより、患者は、すでに慣れ親しんだシンボルマークが表す事物をイメージすることで、薬品をイメージして、従来どおり、服用すべきタイミングで服用すべき薬品を服用することができる。
【０１０２】
また、シンボルマークが印刷された紙葉類を既に受け取った患者が、薬品について問い合わせる場合について考える。この場合、患者は、馴染みがなく、正確に伝えることが難しい薬品の名称ではなく、薬品に対応付けられているシンボルマークが示す事物（例えば、「ハイビスカス」）を薬剤師等の医療従事者に伝えることができる。医療従事者は、患者の氏名及びシンボルマーク情報を薬局端末１０に入力し、記憶部１４に記憶されている情報から、当該シンボルマーク情報に対応する薬品の名称を抽出することができる。抽出された薬品名は、例えば、表示部１３または携帯型情報処理装置１１Ｂに表示される。よって、患者と医療従事者とのコミュニケーションを円滑に行うことができる。
【産業上の利用可能性】
【０１０３】
本発明にかかる紙葉類発行システム、及び、紙葉類発行方法は、薬局において、薬品と共に患者に渡す薬袋等の紙葉類を発行するシステム及び方法に好適に適用することができるので、その産業錠の利用可能性は多大である。
【符号の説明】
【０１０４】
１  紙葉類発行システム
１０  薬局端末
１１Ａ  バーコードリーダ
１１Ｂ  携帯型情報処理装置
１１Ｃ  操作部
１２  通信部
１３  表示部
１４  記憶部
１５  制御部
３０  プリンタ
４０  薬袋
４１  患者の氏名
４２  薬品の名称
４３  薬品の外観画像
４４  シンボルマーク
４５  薬品の服用指示内容
５０  他の薬袋
５１  患者の氏名
５２  他の薬品の名称
５３  他の薬品の外観画像
５４  他のシンボルマーク
５５  他の薬品の服用指示内容
６０  第２の薬袋
６１  第２の患者の氏名
６２  第２の薬品の名称
６３  第２の薬品の外観画像
６４  第２のシンボルマーク
６５  第２の薬品の服用指示内容
７０、８０  服用支援シート
７１、８１  服用日欄
７２、８２  服用時間欄
７３Ａ、７３Ｂ、８３  薬品名表示欄
７４Ａ、７４Ｂ、８４  薬品外観画像表示欄
７５Ａ、７５Ｂ、８５  シンボルマーク表示欄
７６Ａ、７６Ｂ  補足情報表示欄
１１０  第１カテゴリ表示欄
１１１、１１２、１１３  シンボルマーク候補
１２０  第２カテゴリ表示欄
１２１、１２２、１２３  シンボルマーク候補
１３０  第３カテゴリ表示欄
１３１、１３２、１３３  シンボルマーク候補
１４０  第４カテゴリ表示欄
１４１、１４２、１４３  シンボルマーク候補
Ｍ  薬品
【図１】
2020204895.tif 000003
【図２】
2020204895.tif 000004
【図３】
2020204895.tif 000005
【図４】
2020204895.tif 000006
【図５】
2020204895.tif 000007
【図６】
2020204895.tif 000008
【図７】
2020204895.tif 000009
【図８】
2020204895.tif 000010
【図９】
2020204895.tif 000011
【図１０】
2020204895.tif 000012